(57)【要約】【課題】本発明の実施形態は、原価を節減することができ、品質を向上させることができるシートローラを開示する。【解決手段】回転軸と共に回転するように回転軸に設置され、外周面には離隔配置された複数の固定弾性シートが形成された固定ローラと、固定ローラの一側に位置するように回転軸に設置されて外周面には離隔配置された複数のアイドル弾性シートが形成され、回転軸が回転するにともない固定ローラに対して相対回転が可能なアイドルローラおよび固定ローラに対するアイドルローラの相対回転による位相差を除去する位相回復手段とを備える。このような構成によってシートローラは部分スタックシートローラを用いながらも外周面全体にわたってシートが放射状に形成されたシートローラと同一の機能を行うことができる。【選択図】図２
2010247990.tif 000002
【特許請求の範囲】
【請求項１】
媒体収納部から媒体を分離したり前記媒体収納部に搬送される媒体を集積する媒体分離集積部の一回転軸に設けられるシートローラであって、
前記回転軸と共に回転するように前記回転軸に設けられ、外周面には離隔配置された複数の固定弾性シートが形成された固定ローラと、
前記固定ローラの一側に位置するように前記回転軸に設置され、外周面には離隔配置された複数のアイドル弾性シートが形成され、前記回転軸が回転するにともない前記固定ローラに対して相対回転が可能なアイドルローラと、
前記固定ローラに対する前記アイドルローラの相対回転による位相差を弾性力を用いて除去する位相回復手段と、
を備えるシートローラ。
【請求項２】
前記固定弾性シートおよび前記アイドル弾性シートは、それぞれ前記固定ローラおよび前記アイドルローラの外周面の一部分に形成されたことを特徴とする請求項１に記載のシートローラ。
【請求項３】
前記アイドルローラが前記固定ローラに対して相対回転した状態で前記固定弾性シートおよび前記アイドル弾性シートは前記回転軸の外周面全体にわたって配置されたことを特徴とする請求項２に記載のシートローラ。
【請求項４】
前記位相回復手段は、前記アイドルローラと前記回転軸とを連結したり、前記アイドルローラと前記固定ローラとを連結することを特徴とする請求項１〜３のいずれか一項に記載のシートローラ。
【請求項５】
前記位相回復手段は、前記回転軸および前記固定ローラが回転するにともない前記アイドルローラに弾性力を提供するスプリングクラッチであることを特徴とする請求項４に記載のシートローラ。
【請求項６】
前記スプリングクラッチは、
前記回転軸が挿入されるように巻線された回転軸挿入部と、
前記回転軸挿入部を中心に一端に形成されて前記回転軸または前記固定ローラに連結する固定ローラ連結部と、
前記回転軸挿入部を中心に他端に形成されて前記アイドルローラに連結するアイドルローラ連結部と、を備える請求項５に記載のシートローラ。
【請求項７】
前記固定ローラおよび前記アイドルローラには前記固定ローラに対する前記アイドルローラの相対回転範囲を制限するストッパが形成されたことを特徴とする請求項６に記載のシートローラ。
【請求項８】
前記ストッパは、前記固定ローラと前記アイドルローラにそれぞれ形成された突起であり、前記突起は前記回転軸の回転方向に沿って形成された両端部が互いに接触しながら前記アイドルローラの相対回転範囲を制限することを特徴とする請求項７に記載のシートローラ。
【請求項９】
媒体収納部から媒体を分離したり前記媒体収納部に搬送される媒体を集積する媒体分離集積部の一回転軸に設けられるシートローラであって、
前記回転軸と共に回転するように前記回転軸に設けられ、外周面には離隔配置された複数の固定弾性シートが形成された固定ローラと、
前記固定ローラの一側に位置するように前記回転軸に設置され、外周面には離隔配置された複数のアイドル弾性シートが形成され、前記回転軸が回転するにともない前記固定ローラに対して相対回転が可能なアイドルローラと、を含み、
媒体分離時には前記アイドルローラに加えられる弾性力によって前記アイドル弾性シートが前記固定弾性シートと同一位相を維持し、
媒体集積時には予め集積された媒体と前記アイドル弾性シートの摩擦力によって前記アイドル弾性シートと前記固定弾性シートの間に位相差が発生することを特徴とするシートローラ。
【請求項１０】
媒体分離時に前記固定弾性シートおよび前記アイドル弾性シートは媒体と接触せず、
媒体集積時に前記アイドル弾性シートは予め集積された媒体の一面と接触しながら新しく集積される媒体の集積空間を確保することを特徴とする請求項９に記載のシートローラ。
【請求項１１】
媒体集積時に前記固定弾性シートおよび前記アイドル弾性シートは、前記回転軸の外周面全体にわたって配置されるように位置することを特徴とする請求項１０に記載のシートローラ。
【請求項１２】
媒体集積が完了すれば前記固定弾性シートおよび前記アイドル弾性シートは前記回転軸の外周面の一部にわたって配置されるように位置することを特徴とする請求項９〜１１のうちいずれか一項に記載のシートローラ。
【請求項１３】
媒体集積が完了すれば、前記アイドルローラと前記回転軸とを連結したり前記アイドルローラと前記固定ローラとを連結する位相回復手段によって前記アイドル弾性シートが前記回転軸上で回転して前記固定弾性シートと前記アイドル弾性シートが同一の位相を有するようになることを特徴とする請求項１２に記載のシートローラ。
【請求項１４】
前記位相回復手段は、
前記回転軸が挿入されるように巻線された回転軸挿入部と、
前記回転軸挿入部を中心に両端にそれぞれ形成された固定ローラ連結部とアイドルローラ連結部と、
前記回転軸挿入部と前記固定ローラ連結部および前記アイドルローラ連結部をそれぞれ連結する脚部と、を備える請求項１３に記載のシートローラ。
【発明の詳細な説明】
【技術分野】
【０００１】
本発明は、シートローラに関し、より詳しくは原価を節減することができ、品質を向上させることができる部分スタックシートローラ構造を備えた金融自動化機器に関する。
【背景技術】
【０００２】
金融自動化機器は、金融サービスに関連して時間および場所に束縛されずに銀行職員がいなくとも入金または出金などの基本的な金融サービスを提供することのできる自動化機器である。
【０００３】
金融自動化機器は、入出金の有無によって現金支払機と現金預払機に大きく区分され、最近では金融自動化機器は現金の入出金はもちろん小切手（Ｃｈｅｃｋ）の入出金、通帳整理、振替（ｇｉｒｏ）料金納付、チケット発売などのさまざまな用途で用いられている。
【０００４】
上記のような金融自動化機器には現金や小切手などを出金するためにカセットボックスなどの媒体収納部に積載された紙媒体を一枚一枚分離して供給したり入金された紙媒体を媒体収納部に集積するための媒体分離集積部が備えられている。
【０００５】
前記媒体分離集積部は、媒体収納部から紙媒体を一枚一枚ピックアップするピックアップローラと、前記ピックアップローラと隣接するように装着されて前記ピックアップローラで一枚一枚分離された紙媒体を搬送経路に流入させるフィードローラと、前記フィードローラとオーバラップ（ｏｖｅｒｌａｐ）した状態を維持しながら回転するゲートローラと、前記フィードローラに紙媒体を密着させるピンチローラとを備えることができる。
【０００６】
ここで、ゲートローラが装着される回転軸の両端には、入出金される媒体を押し出すためのシートが形成されたシートローラが備えられる。このようなシートローラは、媒体の出金時には搬送経路から回避されていなければならず、媒体の入金時には搬送経路に進入して入金し、積載される媒体と接触しなければならない。
【０００７】
このように、シートローラが出金時には媒体と接触しないように搬送経路から離隔または回避されなければならず、入金時のみ媒体と接触するように搬送経路上に存在するようにするためにシートローラの回転軸そのものを回避または退避させる構造を採択することができる。しかし、このような構造を採用する場合には、シートローラを回避させるための別の構成が追加されなければならないため生産原価が上昇し、媒体分離集積部の近くの搬送経路構造が複雑になるという問題点があった。
【０００８】
このような問題点を解決するためにシートローラの外周面にシートが部分的にのみ形成された部分スタックシートローラを用いることもできる。部分スタックシートローラを用いる場合、出金時にはゲートローラまたはシートローラが装着された回転軸が回転せずにシートローラに形成されたシートが媒体と接触しない状態にあるが、入金する場合には回転軸と共にシートローラが回転するため媒体がシートに接触して媒体収納部に集積されることができる。しかし、部分スタックシートローラを用いる場合には、媒体収納部にすでに積載されている媒体とシートローラの接触が全くないため、新しく積載される媒体のための空間を十分に確保することができないという問題点があった。
【発明の概要】
【発明が解決しようとする課題】
【０００９】
本発明は、部分スタックシートローラを用いながらも生産原価を減らすことができ、入金または積載時に媒体の積載不良が発生しないシートローラを提供する。
【００１０】
本発明は、少なくとも２つの部分スタックシートローラを用いて、シートローラの間にスプリングクラッチなどの位相回復手段およびストッパを備えて集積時にスタックシートと媒体の摩擦力を用いて放射状のシートローラの役割を完全に行うことのできるシートローラを提供する。
【００１１】
本発明は、媒体分離時には位相回復手段の弾性復原力を用いてシートローラ間の位相を一致させて媒体搬送経路でシートローラが回避されて媒体分離を妨害しないシートローラを提供する。
【課題を解決するための手段】
【００１２】
詳述した本発明の目的を達成するための本発明の一実施形態によれば、媒体収納部から媒体を分離したり前記媒体収納部に搬送される媒体を集積する媒体分離集積部の一回転軸に設けられるシートローラであって、前記回転軸と共に回転するように前記回転軸に設けられ、外周面には離隔配置された複数の固定弾性シートが形成された固定ローラと、前記固定ローラの一側に位置するように前記回転軸に設置され、外周面には離隔配置された複数のアイドル弾性シートが形成され、前記回転軸が回転するにともない前記固定ローラに対して相対回転が可能なアイドルローラと、前記固定ローラに対する前記アイドルローラの相対回転による位相差を弾性力を用いて除去する位相回復手段とを備えるシートローラを提供することができる。
【００１３】
上記のように構成することによって、媒体出金時または分離時にはシートローラが媒体と接触しないように回避し、入金時または集積時にはシートローラと媒体が接触するようになるだけでなく、すでに積載されていた媒体もシートローラと接触するようになって積載空間を十分に確保することができる。
【００１４】
ここで、前記固定弾性シートおよび前記アイドル弾性シートは、それぞれ前記固定ローラおよび前記アイドルローラの外周面の一部分に形成されてもよく、前記アイドルローラが前記固定ローラに対して相対回転した状態で前記固定弾性シートおよび前記アイドル弾性シートは前記回転軸の外周面全体にわたって配置されてもよい。このような部分スタックシートローラを用いることで媒体集積時にはシートがシートローラの外周面全体に配置される効果を得ることができる。
【００１５】
前記位相回復手段は、前記アイドルローラと前記回転軸とを連結したり、前記アイドルローラと前記固定ローラとを連結することができる。すなわち、位相回復手段は、回転軸上で自由に回転することのできるアイドルローラと、回転軸に固定されて回転軸と共に回転する固定ローラとを連結したりアイドルローラと回転軸を連結してアイドルローラと回転軸との間に発生する位相差を除去することができる。
【００１６】
この時、前記位相回復手段は、前記回転軸および前記固定ローラが回転するにともない前記アイドルローラに弾性力を提供するスプリングクラッチまたはトーションスプリングなどで構成してもよい。
【００１７】
ここで、前記スプリングクラッチは、前記回転軸が挿入されるように巻線された回転軸挿入部と、前記回転軸挿入部を中心に一端に形成されて前記回転軸または前記固定ローラに連結する固定ローラ連結部と、前記回転軸挿入部を中心に他端に形成されて前記アイドルローラに連結するアイドルローラ連結部とを含んでもよい。
【００１８】
前記固定ローラおよび前記アイドルローラには前記固定ローラに対する前記アイドルローラの相対回転範囲を制限するストッパが形成される。
【００１９】
前記ストッパは、前記固定ローラと前記アイドルローラにそれぞれ形成された突起であり、前記突起は前記回転軸の回転方向に沿って形成された両端部が互いに接触しながら前記アイドルローラの相対回転範囲を制限することができる。このように、固定ローラとアイドルローラとが噛み合わさるカップリングの部分にストッパを形成することによって、固定ローラに対するアイドルローラの相対回転が過度に発生することを防止できるだけでなく、位相回復手段によって位相差が除去された場合にアイドルローラを初期位置に容易に復元することができる。
【００２０】
また、本発明は、詳述したような課題を達成するために、媒体収納部から媒体を分離したり前記媒体収納部に搬送される媒体を集積する媒体分離集積部の一回転軸に設けられるシートローラであって、前記回転軸と共に回転するように前記回転軸に設けられ、外周面には離隔配置された複数の固定弾性シートが形成された固定ローラと、前記固定ローラの一側に位置するように前記回転軸に設置され、外周面には離隔配置された複数のアイドル弾性シートが形成され、前記回転軸が回転するにともない前記固定ローラに対して相対回転が可能なアイドルローラと、を含み、媒体分離時には前記アイドルローラに加えられる弾性力によって前記アイドル弾性シートが前記固定弾性シートと同一位相を維持し、媒体集積時には予め集積された媒体と前記アイドル弾性シートの摩擦力によって前記アイドル弾性シートと前記固定弾性シートの間に位相差が発生することを特徴とするシートローラを提供することもできる。
【００２１】
ここで、媒体分離時に前記固定弾性シートおよび前記アイドル弾性シートは媒体と接触せず、媒体集積時に前記アイドル弾性シートは予め集積された媒体の一面と接触しながら新しく集積される媒体の集積空間を確保してもよい。
【００２２】
媒体集積時に前記固定弾性シートおよび前記アイドル弾性シートは、前記回転軸の外周面全体にわたって配置されるように位置し、媒体集積が完了すれば前記固定弾性シートおよび前記アイドル弾性シートは前記回転軸の外周面の一部にわたって配置されるように位置してもよい。すなわち、部分スタックシートローラを使用しながらも外周面全体にわたってシートが形成された放射状シートローラと同一の機能をすることができる。
【００２３】
媒体集積が完了すれば、前記アイドルローラと前記回転軸とを連結したり前記アイドルローラと前記固定ローラとを連結する位相回復手段によって前記アイドル弾性シートが前記回転軸上で回転して前記固定弾性シートと前記アイドル弾性シートとが同一の位相を有するようになる。
【００２４】
一方、前記位相回復手段は、前記回転軸が挿入されるように巻線された回転軸挿入部と、前記回転軸挿入部を中心に両端にそれぞれ形成された固定ローラ連結部とアイドルローラ連結部と、前記回転軸挿入部と前記固定ローラ連結部および前記アイドルローラ連結部とをそれぞれ連結する脚部とを備えることができる。
【発明の効果】
【００２５】
以上にて説明したように、本発明は分離時のシートローラを別に回避させなくても良いため、生産原価を節減できるだけでなく金融自動化機器の媒体分離集積部の搬送経路構造を単純化することができる。
【００２６】
本発明は、の部分スタックシートローラを用いながらも集積時にはシートが放射状に配置されるようにすることによって媒体の集積空間を十分に確保することができるために集積品質を向上させることができる。
【図面の簡単な説明】
【００２７】
【図１】本発明の一実施形態に係る金融自動化機器の媒体分離集積部構成を概略的に示す側面図である。
【図２】図１に係る媒体分離集積部によって媒体が分離する時の回転軸およびシートローラを示す斜視図である。
【図３ａ】図２に係るシートローラを示す斜視図および分解図である。
【図３ｂ】図２に係るシートローラを示す斜視図および分解図である。
【図４】図１に係る媒体分離集積部によって媒体が分離する時のシートローラの状態を示す側面図である。
【図５】図１に係る媒体分離集積部によって媒体が集積される時の回転軸およびシートローラを示す斜視図である。
【図６ａ】図５に係るシートローラを示す斜視図および分解図である。
【図６ｂ】図５に係るシートローラを示す斜視図および分解図である。
【図７】図１に係る媒体分離集積部によって媒体が集積される時のシートローラの状態を示す斜視図である。
【図８】図２および図５に係るシートローラの位相回復手段を示す斜視図である。
【発明を実施するための形態】
【００２８】
以下、添付図面を参照して本発明の実施形態に係る構成および作用に関して詳細に説明する。以下の説明は特許請求可能な本発明のさまざまな態様のうちのひとつであり、下記の記述は本発明に対する詳細な記述の一部をなす。
【００２９】
ただし、本発明を説明するにおいて、公知された機能あるいは構成に関する具体的な説明は本発明の要旨を明瞭にするために省略することにする。
【００３０】
図１は、本発明の一実施形態に係る金融自動化機器の媒体分離集積部構成を概略的に示す側面図である。
【００３１】
以下では説明の便宜のために、本発明の一実施形態に係る紙媒体供給装置を用いた出金用金融自動化機器を例示して説明することにする。
【００３２】
図１を参照すれば、本発明の一実施形態に係る金融自動化機器は媒体収納部１１０と、媒体収納部１１０の紙媒体を分離したり媒体収納部１１０に搬送された媒体を媒体収納部１１０に集積する媒体分離集積部１２０と、媒体分離集積部１２０を通過した紙媒体が２枚であるか否かを判断するためのセンサ部（図示せず）、センサ部の検査結果に応じて媒体分離集積部１２０の分離動作をコントロールする制御部（図示せず）および一枚一枚に分離された紙媒体を搬送する媒体搬送部（図示せず）を備える。
【００３３】
ここで、媒体は薄く所定の面積を有するものを含むことができるが、紙幣または小切手などの紙媒体であることが好ましい。
【００３４】
金融自動化機器は、外郭を形成するメインフレーム（図示せず）のその内部に設置された媒体収納部１１０と、媒体収納部１１０に受容された紙媒体Ｎを一枚一枚に分離したり媒体収納部１１０に媒体を集積する媒体分離集積部１２０と、媒体分離集積部１２０によって分離した紙媒体Ｎを出金口（図示せず）に搬送したり集積される紙媒体Ｎを媒体収納部１１０に搬送する媒体搬送部（図示せず）とを含んで構成される。
【００３５】
ここで、媒体収納部１１０は、内部に収容空間が形成された略六面体状の収納部１１０と、収納部１１０の内部に収納された紙媒体Ｎを媒体分離部１２０側に加圧するプッシュプレート（図示せず）とを含んで構成される。
【００３６】
一方、媒体収納部１１０の前方上部の端の部分は開口された状態であり、この開口された部分を介して紙媒体Ｎが流入または流出する。この時、紙媒体Ｎは一枚一枚分離されなければならないが、このために媒体分離集積部１２０が媒体収納部１１０の一側端の付近に設置されている。
【００３７】
媒体分離集積部１２０は、媒体収納部１１０から紙媒体Ｎを一枚一枚ピックアップするピックアップローラ１２１と、ピックアップローラ１２１と隣接するように装着されてピックアップローラ１２１で一枚一枚分離した紙媒体Ｎを搬送経路に流入させるフィードローラ１２２と、フィードローラ１２２とオーバラップ（ｏｖｅｒｌａｐ）した状態を維持しながら停止しているゲートローラ（図示せず）およびフィードローラ１２２に紙媒体Ｎを密着させるピンチローラ（図示せず）を含んで構成される。
【００３８】
この時、前記ゲートローラは、紙媒体Ｎの２枚（ｄｏｕｂｌｅ−ｓｈｅｅｔ）分離を防止する役割をすることができ、このためにゲートローラの一側にはシートローラ１４０が備えられる。
【００３９】
媒体分離集積部１２０は、媒体収納部１１０の上部に向かって紙媒体Ｎを一枚一枚分離または集積し、媒体収納部１１０に設置されたものではなく媒体収納部１１０から分離設置されている。これによって、紙媒体Ｎの分離性能を高めることができ金融自動化機器の生産費用を低くすることができる。参考に、本実施形態の説明で媒体分離集積部１２０は、媒体収納部１１０の外部に外装されているが、場合によっては媒体分離集積部１２０が媒体収納部１１０の内部に内蔵されることも可能である。
【００４０】
ここで、媒体分離集積部１２０は、垂直方向に媒体を分離または集積したり、水平方向に媒体を分離または集積することができ、媒体収納部１１０の下部または上部に向かって紙媒体Ｎを分離または集積することができる。
【００４１】
図１には、媒体収納部１１０の上方向および水平方向に分離または集積がなされる例について示している。
【００４２】
また、ピックアップローラ１２１の駆動原としてステッピングモータ（ｓｔｅｐｐｉｎｇ  ｍｏｔｏｒ）を用いることにより、２枚分離が発生する場合にも効果的に対応することができる。
【００４３】
ここで、シートローラ１４０は、媒体搬送ベルト（図示せず）の間に挟持されて搬送される紙媒体Ｎを媒体収納部１１０の中に引き込む役割をするだけでなく、媒体収納部１１０にすでに集積されている紙媒体Ｎを押すことによって新しく集積される紙媒体Ｎの集積空間を確保する役割をすることができる。
【００４４】
この時、紙媒体Ｎが媒体収納部１１０で分離されて出金などがなされる場合には、シートローラ１４０は紙媒体Ｎと接触しなくなる。
【００４５】
以下では、図面を参照しながら本発明の一実施形態に係る金融自動化機器の媒体分離集積部１２０を介して紙媒体Ｎが分離される場合におけるシートローラ１４０について詳察することにする。
【００４６】
図２は、図１に係る媒体分離集積部によって媒体が分離する時の回転軸およびシートローラを示す斜視図であり、図３ａおよび図３ｂは図２に係るシートローラを示す斜視図および分解図であり、図４は、図１に係る媒体分離集積部によって媒体が分離する時のシートローラの状態を示す側面図である。
【００４７】
図２を参照すれば、本発明の一実施形態に係るシートローラ１４０は、ゲートローラ（図示せず）と同一の回転軸１５０に装着してもよい。シートローラ１４０は、ゲートローラの少なくとも一側ないし回転軸１５０の少なくとも一側端に設けてもよい。
【００４８】
ここで、シートローラ１４０は、ゲートローラ（図示せず）が設けられる回転軸１５０と共に回転するように回転軸１５０に設置され、外周面には離隔配置された複数の固定弾性シート１４２が形成された固定ローラ１４１と、固定ローラ１４１の一側に位置するように回転軸１５０に設置されて外周面には離隔配置された複数のアイドル弾性シート１４７が形成され、回転軸１５０が回転するにともない固定ローラ１４１に対して相対回転が可能なアイドルローラ１４６と、固定ローラ１４１に対するアイドルローラ１４６の相対回転により発生した固定ローラ１４１とアイドルローラ１４６との位相差を除去したり位相差がなくなるようにアイドルローラ１４６を初期状態に復帰させる位相回復手段（図示せず）とを含んでもよい。
【００４９】
上記のように互いに相対回転する固定ローラ１４１およびアイドルローラ１４６を含んでシートローラ１４０を構成することにより、媒体出金時または分離時にはシートローラ１４０が紙媒体と接触しないように回避し、入金時または集積時にはシートローラ１４０と紙媒体が接触するだけでなく、すでに積載されていた紙媒体もシートローラ１４０と接触しながら押さえられるようになり、媒体収納部１１０に新しく積載される紙媒体のための空間を十分に確保することができる。
【００５０】
一方、図２を参照すれば、回転軸１５０を通る仮想の垂直線を中心として固定弾性シート１４２およびアイドル弾性シート１４７が同一の側に位置することが分かる。紙媒体の出金時または分離時に紙媒体は固定およびアイドル弾性シート１４２，１４７がない部分を通過しながら分離するため、紙媒体と固定およびアイドル弾性シート１４２，１４７は接触しなくなる。すなわち、分離時にシートローラ１４０を別に回避させなくても紙媒体とシートローラ１４０と接触するのを防止することができる。
【００５１】
固定ローラ１４１とアイドルローラ１４６との位置は、互いに変わっても構わない。すなわち、図２では固定ローラ１４１が回転軸１５０の中心側に位置してアイドルローラ１４６は回転軸１５０の外側に位置するが、反対の場合も可能である。
【００５２】
ここで、固定弾性シート１４２およびアイドル弾性シート１４７はそれぞれ固定ローラ１４１およびアイドルローラ１４６の外周面の一部分に形成されてもよい。図２を参照すれば、初期状態（すなわち、紙媒体分離時）にある場合、固定弾性シート１４２およびアイドル弾性シート１４７は回転軸１５０の外周面全体にわたって配置されるように形成されたものではなく、回転軸１５０の外周面の一部だけに配置されるように形成される。このように、固定弾性シート１４２およびアイドル弾性シート１４７が一部だけに形成された状態で紙媒体が分離する。
【００５３】
ここで、固定弾性シート１４２およびアイドル弾性シート１４７は固定ローラ１４１の胴体部およびアイドルローラ１４６の胴体部に一体に形成されてもよく、別に形成されることもできる。
【００５４】
この時、アイドルローラ１４６の外側に位置する回転軸１５０の端部近所には位相回復手段を固定するための回復手段固定孔１５１を形成してもよい。
【００５５】
図３ａおよび図３ｂには初期状態、すなわち紙媒体が媒体収納部１１０で分離して出金される状態のシートローラ１４０が示されている。固定ローラ１４１とアイドルローラ１４６は互いに噛み合う状態で回転軸１５０に装着されている。この時、固定ローラ１４１とアイドルローラ１４６の噛み合う部分には、段差構造が形成されていることが分かる。このような段差構造は、固定ローラ１４１に対するアイドルローラ１４６の相対回転範囲または位相差を制限するためのものであり、ストッパ１４３，１４８である。
【００５６】
ストッパ１４３，１４８は、固定ローラ１４１とアイドルローラ１４６にそれぞれ形成された突起構造または段差構造であり、ストッパ１４３，１４８は回転軸１５０の回転方向に沿って形成された両端部が互いに接触しながら固定ローラ１４１に対するアイドルローラ１４６の相対回転範囲を制限することができる。
【００５７】
まず固定ローラ１４１に形成されたストッパ１４３は、固定ローラ１４１の胴体部でアイドルローラ１４６を向いて突出している。ストッパ１４３の両端には係止接触面１４３ａ，１４３ｂがそれぞれ形成され、アイドルローラ１４６の胴体部と接触しながら回転する回転接触面１４３ｃが係止接触面１４３ａ，１４３ｂの間に形成される。
【００５８】
一方、固定ローラ１４１と噛み合うアイドルローラ１４６のストッパ１４８も固定ローラ１４１のストッパ１４３と同一形状を有する。すなわち、アイドルローラ１４６のストッパ１４８は、アイドルローラ１４６の胴体部から固定ローラ１４１を向いて突出している。ストッパ１４８の両端には係止接触面１４８ａ、１４８ｂがそれぞれ形成され、固定ローラ１４１の胴体部と接触しながら回転する回転接触面（図示せず）が係止接触面１４８ａ，１４８ｂの間に形成される。
【００５９】
このようなストッパ１４３，１４８が形成された固定ローラ１４１とアイドルローラ１４６を回転軸１５０に装着すれば、固定ローラ１４１のストッパ１４３の回転接触面１４３ｃはアイドルローラ１４６の胴体部と接触して、アイドルローラ１４６のストッパ１４８の回転接触面は固定ローラ１４１の胴体部と接触する。このような状態で固定ローラ１４１とアイドルローラ１４６とが相対回転するようになれば、アイドルローラ１４６の回転範囲はストッパ１４３，１４８の係止接触面（１４３ａ、１４３ｂ、１４８ａ、１４８ｂ）の接触によって制限される。
【００６０】
図３ａを参照すれば、初期状態（すなわち、紙媒体分離時）には固定ローラ１４１のストッパ１３の係止接触面１４３ａとアイドルローラ１４６のストッパ１４８の係止接触面１４８ａとが互いに接触した状態である。
【００６１】
このように、固定ローラ１４１とアイドルローラ１４６とが噛み合うカップリング（ｃｏｕｐｌｉｎｇ）部分にストッパ１４３，１４８を形成することによって、固定ローラ１４１に対するアイドルローラ１４６の相対回転が過度に発生するのを防止できるだけでなく、位相回復手段１６０（図６ｂ参照）によって位相差が除去された場合にアイドルローラ１４６を初期状態に容易に復元することができる。
【００６２】
一方、アイドルローラ１４６と回転軸１５０とを連結したりアイドルローラ１４６と固定ローラ１４１とを連結する位相回復手段１６０が提供されることができる。すなわち、位相回復手段１６０は、回転軸１５０上で自由に回転することのできるアイドルローラ１４６と回転軸１５０に固定されて回転軸１５０と共に回転する固定ローラ１４１とを連結したり、アイドルローラ１４６と回転軸１５０とを連結してアイドルローラ１４６と回転軸１５０との間で発生する位相差を除去したりアイドルローラ１４６の相対回転を回復させたりすることができる。
【００６３】
図３ｂには、固定ローラ１４１とアイドルローラ１４６との間に位相回復手段１６０が備えられたシートローラ１４０が示されている。位相回復手段１６０は、回転軸１５０および固定ローラ１４１が回転するにともないアイドルローラ１４６に弾性回復力を提供するスプリングクラッチまたはトーションスプリングなどで構成することができる。位相回復手段１６０の詳しい構成については、図面を参照しながら後述することにする。
【００６４】
図３ｂに示す状態で回転軸１５０と固定ローラ１４１とが反時計方向に回転すれば、位相回復手段１６０がよじれて弾性力をアイドルローラ１４６に加えるようになる。
【００６５】
図４には紙媒体が分離する場合紙媒体とシートローラ１４０の相対位置が示されている。図に示すように、紙媒体Ｎ分離時にはシートローラ１４０の固定弾性シート１４２およびアイドル弾性シート１４７が重なったり略同じ位置にあるため、弾性シート１４２，１４７と紙媒体Ｎとが接触しない。この状態でシートローラ１４０が備えられた回転軸１５０は回転しない。このように、弾性シート１４２，１４７をシートローラ１４０の外周面の一部分にのみ形成することによって、紙媒体Ｎ分離時にシートローラ１４０が紙媒体Ｎと干渉または接触しない位置に回避させる必要がない。
【００６６】
以下では、図面を参照して、紙媒体の集積時シートローラ１４０に作動について詳察する。
【００６７】
図５は、図１に係る媒体分離集積部によって媒体が集積される時の回転軸およびシートローラを示す斜視図であり、図６ａおよび図６ｂは、図５に係るシートローラを示す斜視図および分解図であり、図７は、図１に係る媒体分離集積部によって媒体が集積される時のシートローラの状態を示す斜視図である。
【００６８】
図５に示すシートローラ１４０は、図２に示したシートローラ１４０の固定ローラ１４１と回転軸１５０とが反時計方向（図５の矢印参照）に回転した状態である。
【００６９】
固定ローラ１４１は、回転軸１５０と共に回転するが、アイドルローラ１４６は回転軸に固定されたものではないため回転しないこともある。
【００７０】
この時、初期状態で回転軸１５０が回転し始める時には、固定ローラ１４１とアイドルローラ１４６とが共に回転することができる。回転軸が回転し始める時には、媒体収納部１１０に積載された紙媒体とアイドルローラ１４６とが接触しないためにアイドルローラ１４６も回転することができる。回転がさらに進行されて媒体収納部１１０に積載された紙媒体とアイドルローラ１４６の弾性シート１４７が接触するようになれば、両者の間に発生する摩擦力によってアイドルローラ１４６はそれ以上回転しないこともある。
【００７１】
すなわち、アイドルローラ１４６のアイドル弾性シート１４７が媒体収納部１１０に積載された紙媒体を押しながら、それ以上回転しない一方、固定ローラ１４１は回転軸１５０と共に続けて回転するため、アイドルローラ１４６と固定ローラ１４１との間には相対回転ないし位相差が発生するようになる。
【００７２】
アイドルローラ１４６が固定ローラ１４１に対して相対回転した状態で固定弾性シート１４２およびアイドル弾性シート１４７は回転軸１５０の外周面全体にわたって位置するように配置される。このような作動によって弾性シートが外周面の一部分にのみ形成された部分スタックシートローラを利用しながらも媒体集積時には弾性シートがシートローラの外周面全体に配置された効果を得ることができる。
【００７３】
ここで、固定ローラ１４１に対するアイドルローラ１４６の相対回転は、固定ローラ１４１のストッパ１４３の係止接触面１４３ｂとアイドルローラ１４６のストッパ１４８の係止接触面１４８ｂとが互いに接触すれば、それ以上発生しない。
【００７４】
図６ａを参照すれば、固定ローラ１４１のストッパ１４３の係止接触面１４３ｂがアイドルローラ１４６のストッパ１４８と接触した状態が示されているが、この状態は固定ローラ１４１とアイドルローラ１４６との間の相対回転、すなわち位相差が最大に発生した状態である。
【００７５】
図６ｂを参照すれば、位相差が発生した状態で固定ローラ１４１とアイドルローラ１４６との間に設置された位相回復手段１６０の形態が変形されながら回復弾性力が発生した状態である。この状態でアイドルローラ１４６の弾性シート１４７と媒体収納部１１０に積載された紙媒体Ｎの接触状態が解除されれば、位相回復手段１６０の弾性力によってアイドルローラ１４６は初期状態に回転するようになる。このように位相回復手段１６０の弾性力によってアイドルローラ１４６と固定ローラ１４１との間の位相差ないし相対回転が消滅されることができる。
【００７６】
図７は、入金された紙媒体Ｎが媒体収納部１１０で集積される状態を示す図である。図に示すように、紙媒体Ｎ集積時には固定ローラ１４１に対しアイドルローラ１４６が相対回転をして両者の間に位相差が発生するため、固定弾性シート１４２およびアイドル弾性シート１４７が放射状に等しく分布することができる。
【００７７】
この状態で新しく入金される紙媒体Ｎは、左半部上側領域に位置する固定弾性シート１４２に引かれて媒体収納部１１０側に搬送され、すでに媒体収納部１１０に入金されている紙媒体Ｎは左半分負荷側領域に位置するアイドル弾性シート１４７に押さられて紙媒体Ｎとアイドル弾性シート１４７との間に摩擦力が発生するようになり、このような摩擦力により回転軸１５０が回転するにも関わらず、アイドルローラ１４６は回転することができないことがある。
【００７８】
このように、紙媒体Ｎ集積時に弾性シート１４２，１４７が放射状に等しく分布しながら媒体収納部１１０に収納された紙媒体Ｎを押すことによって、新しく集積される紙媒体Ｎのための十分な空間を媒体収納部１１０に確保することができる。
【００７９】
再び説明すれば、紙媒体Ｎ分離時にはアイドル弾性シート１４７が固定弾性シート１４２と同一位相を維持して（図４参照）、紙媒体Ｎ集積時には予め媒体収納部１１０に集積された紙媒体Ｎとアイドル弾性シート１４７の摩擦力によりアイドル弾性シート１４７と固定弾性シート１４２の間に位相差が発生するようになる。
【００８０】
ここで、紙媒体Ｎ分離時に固定弾性シート１４２およびアイドル弾性シート１４７は紙媒体と接触せず、媒体集積時にアイドル弾性シート１４７は予め集積された紙媒体の一面と接触しながら新しく集積される紙媒体の集積空間を確保することができる。
【００８１】
紙媒体集積時の固定弾性シート１４２およびアイドル弾性シート１４７は、回転軸１５０の外周面全体にわたって配置されるように位置し、紙媒体集積が完了すれば位相回復手段１６０によってアイドルローラ１４６が初期状態に復元するため、固定弾性シート１４２およびアイドル弾性シート１４７は回転軸１５０の外周面の一部にわたって配置されるように位置することができる。
【００８２】
すなわち、紙媒体集積が完了すれば、アイドルローラ１４６と回転軸１５０を連結したり、アイドルローラ１４６と固定ローラ１４１を連結する位相回復手段１６０によってアイドル弾性シート１４７が回転軸１５０上で回転するため固定弾性シート１４２とアイドル弾性シート１４７が同一の位相を有することができる。
【００８３】
図８は、図２および図５に係るシートローラの位相回復手段を示す斜視図である。図８を参照すれば、位相回復手段１６０は、回転軸１５０が挿入される回転軸挿入部１６９が略中央部分に形成されるが、トーション（ｔｏｒｓｉｏｎ）を発生させるために回転軸挿入部１５０は少なくとも１回巻線されることが好ましい。
【００８４】
回転軸挿入部１６９を中心として両端には固定ローラ連結部１６２およびアイドルローラ連結部１６６がそれぞれ形成され、回転軸挿入部１６９と連結部１６２，１６６はそれぞれ脚部１６１，１６７によって連結できる。ここで、固定ローラ連結部１６２は固定ローラ１４１に連結することもできるが、回転軸１５０に連結することもできる。
【００８５】
図８に示す状態が位相回復手段１６０の初期状態（すなわち、図２に対応）とすれば、アイドルローラ１４６と固定ローラ１４１との間に位相差が発生する場合は、固定ローラ連結部１６２とアイドルローラ連結部１６６とが互いに近づきながら位相回復手段１６０に弾性力が発生するようになる。
【００８６】
図８に示す位相回復手段１６０は１つの例示に過ぎず、必ずこれらに限定されることはなく、スプリングクラッチまたはトーションスプリングなどさまざまな形態の弾性部材が用いてもよい。
【００８７】
このような構成によってシートローラは部分スタックシートローラを用いながらも外周面全体にわたってシートが放射状に形成されたシートローラと同一の機能を行うことができる。
【００８８】
これまで説明したシートローラは、リサイクルボックスを含み、一時スタック部、顧客接客部など１つの入出金口を介して紙幣または小切手などの紙媒体が入金および出金される金融自動化機器の構成部品に用いられる。
【００８９】
以上では本発明の好適な実施形態を例示的に説明したが、本発明の範囲はこのような特定実施形態のみに限定されることはなく、特許請求の範囲に記載された範疇内で適切に変更可能なものである。
【符号の説明】
【００９０】
１１０：媒体収納部
１２０：媒体分離集積部
１２１：ピックアップローラ
１２２：フィードローラ
１４０：シートローラ
１４１：固定ローラ
１４２：固定弾性シート
１４３、１４８：ストッパ
１４６：アイドルローラ
１４７：アイドル弾性シート
１５０：回転軸
１６０：位相回復手段
【図１】
2010247990.tif 000003
【図２】
2010247990.tif 000004
【図３ａ】
2010247990.tif 000005
【図３ｂ】
2010247990.tif 000006
【図４】
2010247990.tif 000007
【図５】
2010247990.tif 000008
【図６ａ】
2010247990.tif 000009
【図６ｂ】
2010247990.tif 000010
【図７】
2010247990.tif 000011
【図８】
2010247990.tif 000012